(57)【要約】【課題】  間口約８０乃至約９０センチメートル、奥行約２．５メートル乃至３．５メートル程度の床面積があれば、ネットに軟球を全力投球し、その返球を２．５メートル乃至３．５メートルの短距離で、比較的高く放物線状に飛ばして、容易に捕球できるようにした室内ボール投げ健康器を提供する。【解決手段】  ネット３０を張ったネットフレーム１０に、１対の足フレーム２０を軸着したもので、軸着位置の変更により、ネットフレーム１０を、床面９００に対し約２０°乃至約４０°に、傾斜角度を変更できるようにしたもの。【選択図】        図１
2006223846.tif 000002
【特許請求の範囲】
【請求項１】
ネット３０を張設した矩形状のパイプフレーム（以下、ネットフレームという。）１０を１個と、棒状のパイプフレーム（以下、足フレームという。）２０、２０を１対とを備え、ネットフレーム１０が、２個の半硬質合成樹脂製直パイプ１１と２個の半硬質合成樹脂製直パイプ１２にそれぞれ外嵌する４個の半硬質合成樹脂製Ｌ形継手１３とからなり、各直パイプ１１及び各直パイプ１２と各Ｌ形継手１３との固着が、各直パイプ１１の胴部１１１と各直パイプ１２の胴部１２１とにそれぞれ外嵌したＬ形継手１３の胴部１３１の片側から螺入した螺入ねじ６１の螺着により形成され、各直パイプ１２の胴部１１１上部にそれぞれ貫通した複数個の貫通孔１１０が設けられ、各足フレーム２０が、１個の半硬質合成樹脂製直パイプ２１とその上端に外嵌した１個の半硬質合成樹脂製キャップ５０であって、螺棒７１を突出させ、蝶ボルト７２を螺合させたものからなり、螺棒７１を突出させたキャップ５０がキャップ底５３の貫通孔５００を介して挿入したボルト７０のヘッド７３をキャップ底５３内面に当接させて、キャップ５０の胴部５１及びこれに嵌入した足フレーム２０の胴部２１１の片側から螺入した螺入ねじ６２の螺着によりボルトヘッド７３をキャップ底５３内面に当接させ固定させることにより形成されると共に、直パイプ２１とキャップ５０とを固着させてなり、使用時に、各足フレーム２０のキャップ５０から突出した螺棒７１をネットフレーム１０の両側の直パイプ１１の胴部１１１上部の複数個の貫通孔１１０のいずれかに貫入してて蝶ナット７２で螺着することにより、ネットフレーム１０と床面９００とがなす角が２０°乃至４０°になるように調節して、投球した軟球９０を放物線状に返球して、その飛距離を２．５乃至３．５メートルの範囲に制約できるようにしたことを特徴とする室内ボール投げ健康器。
【請求項２】
前記ネットフレーム１０が、弾性合成樹脂製のＳ字形引張具３１で、一方側の引っかけ３１１をパイプフレーム１０の直パイプ１１及び１２にそのまま手押しで嵌合させ、他方側の引っかけ３１２を引き伸ばしてネット糸３００に引っかけて、ネット３０を張設できるように形成されていることを特徴とする請求項１記載の室内ボール投げ健康器。
【発明の詳細な説明】
【技術分野】
【０００１】
本発明は、狭い床面積の室内で、ネットに対する投球及びその返球による捕球ができるようにした室内ボール投げ健康器に関する。
【背景技術】
【０００２】
狭い日本家屋の室内で全力投球してバックネットによるボール投げにはいろいろな制約条件がある。
（１）騒音を発しないこと、（２）ボールの投球により人、動物、器物、設備等に損傷を及ぼさないこと、（３）全力投球しても返球の飛距離が短いこと、（４）ネット角度が簡単迅速に調整できること、（５）小型軽量で格納しやすく、移動運搬や組立が容易なこと、（６）家庭用に安価に提供でき、子供、若者、中年老人まで広範囲に使用できること、（７）製作が木材加工と同様に迅速簡単にでき、安価に販売できること。
従来のバックネットタイプのボール投げ器の代表的なものが、特開平１１−２８２６４号公報、登録実用新案第３００８７１０号公報、特開平９−２５３２５９号公報、特表２０００−５０７８７３号公報などに記載されている。これらのものは、特表２０００−５０７８７３号公報に記載のものを除いて、屋外の広い場所で野球や庭球に使用される硬球の返球用で、室内で使用するためには、上述した制約条件に適合しないことは明らかであるが、これらの前提を無視してネット面の角度調整について比較すると、特開平１１−２８２６４号公報に記載のものは、ネット面の角度調整が、図４に示すように、調節用ノブ４６によりコネクターデイスク４８と４９を噛合されることにより行われるので、コネクターデイスクの製作がかなり高価につく欠点があった。
登録実用新案第３００８７１０号公報に記載のものは、ネット面と地面との角度調整が、請求項１の考案は、図３に示すように、平置底架４に固定溝４０を設けて支持架５を架設することにより行われるが、ネット１に投球することによる反動で固定溝４０と支持架５がはずれ易い欠点があり、また、請求項２の考案は、図５に示すように、直管架７０とＴ字架７１を固定ボルト７１０を介して伸縮して行われるが、Ｔ字架の脚架７１のため投球によるネット１の反動により転倒や投球毎の後退が防止できない欠点があった。
特開平９−２５３２５９号公報に記載のものは、各実施例をみても明らかに金属製の頑強な部材からなる大型の球技用ネットで、室内用ボール投げ器には不適であるが、機体２（ネット４）の角度の変更が、図４及び図５に示すように、保持部材７を所定位置の開口部５５（６５）に挿入することにより行われるが、ネット面４に投球されたボールの衝撃によって枠体２が振動して保持部材７、７の先端が抜け易い欠点があった。
特表２０００−５０７８７３号公報に記載のものは、室内用ボール投げ器として使用できるものと認められるが、同公報６頁に記載されているように、ベース部分１６と直立部分１４とのなす角は、発射体（ボール）がネットをなす繊維セクション４２に当たる前に移動した方向に逆に戻し得る好適な角度であるとしても、投球を放物線状に返球して、その飛距離を短くし、かつ、捕球しやすくすることは困難である。
本発明者の実験によれば、テニスボール、ビーチボール等の軟球を使用した場合、ネット面と床面とのなす傾斜角度は、２０°乃至４０°の範囲内にあれば、軟球を全力投球しても、返球は放物線状に戻って返球距離は２〜３．５メートルの範囲内で容易に捕球できることが見出された。
また、ボールの投球による人、動物、器物、設備等に損傷を与えないためには軟式テニスボール、ビーチボール等の軟球を使用することに限定する必要がある。
また、室内で騒音を発しないフレーム材としては、半硬質で弾性がある合成樹脂製パイプが必要で、金属部材は室内用のフレーム材として適切でないことが判明した。
さらに、半硬質合成樹脂製パイプは、木材のように切断、穴あけ、ねじ止め等が容易にでき、製品は軽量となり、製作費の低減、工作の容易化が実現できることが判明した。
【特許文献１】特開平１１−２８２６４号公報
【特許文献２】登録実用新案第３００８７１０号公報
【特許文献３】特開平９−２５３２５９号公報
【特許文献４】特表２０００−５０７８７３号公報
【発明の開示】
【発明が解決しようとする課題】
【０００３】
本発明は、間口約８０乃至９０センチメートル、奥行約２．５メートル乃至３．５メートル程度の床面積があれば、軟球を全力投球してその返球を捕球できるようにすることにより、全身運動ができるようにした室内ボール投げ健康器を提供することにある。
また、本発明は、軟球を使用して老幼男女、誰でも投球及び返球の捕球ができる室内ボール投げ健康器を提供することにある。
また、本発明は、降雨時は勿論、夜間でも、騒音を発生することなく、投球及び捕球ができ、飽きることなく、軽い全身運動ができる室内ボール投げ健康器を提供することにある。
また、本発明は、投球又は返球による人間や動物への被害や室内設備、器物への損傷が発生しない室内ボール投げ健康器を提供することにある。
また、本発明は、組立、分解、格納が容易にでき、小型、軽量な室内ボール投げ健康器を提供することにある。
さらに、本発明は、製作容易で安価につき、軽量で、運搬、移動が便利な室内ボール投げ健康器を提供することにある。
【課題を解決するための手段】
【０００４】
本発明室内ボール投げ健康器は、上記課題を達成するため、図示するように、ネット３０を張設した矩形状のパイプフレーム（以下、ネットフレームという。）１０を１個と、棒状のパイプフレーム（以下、足フレームという。）２０、２０を１対とを備え、ネットフレーム１０が、２個の半硬質合成樹脂製直パイプ１１と２個の半硬質合成樹脂製直パイプ１２にそれぞれ外嵌する４個の半硬質合成樹脂製Ｌ形継手１３とからなり、各直パイプ１１及び各直パイプ１２と各Ｌ形継手１３との固着が、各直パイプ１１の胴部１１１と各直パイプ１２の胴部１２１とにそれぞれ外嵌したＬ形継手１３の胴部１３１の片側から螺入した螺入ねじ６１の螺着により形成され、各直パイプ１２の胴部１１１上部にそれぞれ貫通した複数個の貫通孔１１０が設けられ、各足フレーム２０が、１個の半硬質合成樹脂製直パイプ２１とその上端に外嵌した１個の半硬質合成樹脂製キャップ５０であって、螺棒７１を突出させ、蝶ボルト７２を螺合させたものからなり、螺棒７１を突出させたキャップ５０がキャップ底５３の貫通孔５００を介して挿入したボルト７０のヘッド７３をキャップ底５３内面に当接させて、キャップ５０の胴部５１及びこれに嵌入した足フレーム２０の胴部２１１の片側から螺入した螺入ねじ６２の螺着によりボルトヘッド７３をキャップ底５３内面に当接させ固定させることにより形成されると共に、直パイプ２１とキャップ５０とを固着させてなり、使用時に、各足フレーム２０のキャップ５０から突出した螺棒７１をネットフレーム１０の両側の直パイプ１１の胴部１１１上部の複数個の貫通孔１１０のいずれかに貫入してて蝶ナット７２で螺着することにより、ネットフレーム１０と床面６０とがなす角が２０°乃至４０°になるように調節して、投球した軟球９０を放物線状に返球して、その飛距離を２．５乃至３．５メートルの範囲に制約できるようにしたものである。
また、本発明室内ボール投げ健康器は、上記課題を達成するため、図示するように、前記ネットフレーム１０が、弾性合成樹脂製のＳ字形引張具３１で、一方側の引っかけ３１１をパイプフレーム１０の直パイプ１１及び１２にそのまま手押しで嵌合させ、他方側の引っかけ３１２を引き伸ばしてネット糸３００に引っかけて、ネット３０を張設できるように形成されているものである。
本発明において、半硬質合成樹脂製パイプフレームは、外径１５ミリメートル乃至２０ミリメートル程度のポリエチレン管、塩化ビニル管等が好ましく、弾性もあり、ボール投球の衝撃による騒音の防止や軽量化のほか、木材同様に切断、穴あけ等の工作が容易である。
また、本発明において、ネットは、その床面に対する傾斜角度と共に、投球に対する返球速度、返球の飛距離及び飛行軌道等を決定するので、網目の大きさ、弾力性、引張り強度等を選択する必要がある。
また、本発明において、軟球は、いわゆる軟球テニスボールや子供用のビーチボール程度が好ましく、半硬球乃至硬球は使用しない。
さらに、本発明において、ネットフレームの床面に対する傾斜角度は、約２０°以下では、投球による返球が困難になり、約４０°以上では、返球の飛行軌道が低くなり、短距離での捕球が困難になる頻度が多くなるので好ましくない。
【発明の効果】
【０００５】
本発明室内ボール投げ健康器は、床面９００に対し、ネット３０面を約２０°乃至４０°に傾斜させる操作や、ネットの張設及び張度の調節が容易で、ネット３０面に投げられた軟球４０は全力投球しても、ネット３０面で返球速度と返球飛距離が緩和され、短い距離で、比較的高い放物線を画いて返球されるので、手で受け取り易く、狭い室内でのボール投げ運動に適し、さらに、軟球４０の大小の選択により、老幼男女誰でも投球、返球及び捕球ができ、これらの変化により、飽きることなく、軽い全身運動ができることになる。
また、本発明室内ボール投げ健康器は、上述のように、軟球の返球飛距離が短く済むので、間口約８０センチメートル乃至９０センチメートル、奥行約２．５メートル乃至３．５メートル程度の床面積があれば、軟球投げ運動ができ、住居の廊下や狭い室内で、雨天、昼夜を問わずにボール投げ全身運動をすることができる。また、その際、騒音の発生や人間、動物、設備、器物に対する損傷が発生しない。
また、本発明室内ボール投げ健康器は、構造簡単、小型軽量で、分解、格納、運搬、移動が容易な上に、組立が、誰でも容易にできる。
さらに、本発明室内ボール投げ健康器は、製作が木材加工と同様にできるので安価に提供できる。
【発明を実施するための最良の形態】
【０００６】
本発明の室内ボール投げ健康器は、ネット３０を張った矩形状のネットフレーム１０を１個と、その両側上部に、取りはずし可能に、位置を替えて蝶ナットで軸着できる、棒状の足フレーム２個２０、２０を備えている。
【実施例１】
【０００７】
本発明室内ボール投げ健康器の実施例が図１乃至図７に示されている。
本発明実施例の室内ボール投げ健康器は、ネット３０を張った外形が縦約６０センチメートル横約４５センチメートルの１個の矩形状のネットフレーム１０と、長さ約２８センチメートルの２個の棒状の足フレーム２０、２０とからなる。
ネットフレーム１０は、半硬質塩化ビニル樹脂製パイプで、図２に示すように、１対の縦パイプ１１と、１対の横パイプ１２と、４個のＬ形パイプ継手１３とからなっている。また、ネットフレーム１０には、１個のネット３０と、図５に示す多数個のＳ字状の弾性合成樹脂製のネット張り具３１とを備えている。
各縦パイプ１１は、上部に、後述する足パイプ２０の縦パイプ２１の端部から突出した螺棒７１を挿入するための複数個の貫通孔１１０を設けている。
各横パイプ１２のうち、床面５０に接する側の横パイプ１２は、両端部近くに、図１及び図２に示すように、緩衝用の１対のゴム足１４が取りつけられている。
ネット３０は、１対の縦パイプ１１と１対の横パイプ１２とをそれぞれ４個のＬ形パイプ継手１３により矩形状に形成したネットフレーム１０内に張られるが、図５に示すように、多数のＳ形のネット張り具３１の一方側の引っかけ３１１は、ネットフレーム１０の各縦パイプ１１及び各横パイプ１２に適当間隔毎に弾性を利用してそのまま手押しで嵌合させて引っかけられ、他方側の引っかけ３１２は、引き伸ばしてネット３０のネット糸３００に引っかけられる。ネット３０の張度は引っかけ３１２をネット糸３００に引っかける引っかけ位置を選択することにより調節される。
足フレーム２０は、半硬質塩化ビニル樹脂製パイプで、図３及び図４に示すように、１対の縦パイプ２１と各縦パイプ２１の上端に嵌合した有底円筒状のキャップ５０と下端に嵌合したゴムキャップ８０からなっている。
各キャップ５０は、各縦パイプ２１の上端に嵌合させられるが、キャップ底５３の中央に設けた貫通孔５００にボルト７０を挿入してヘッド７３をキャップ底５３に当接させたのち、キャップ５０の胴部５１と縦パイプ１１の胴部２１１にねじ６２を螺入して当接固着させて螺棒７１の突出を固着させている。螺棒７１には蝶ナット７２が螺合している。
従って、各足フレーム２０の上端部からそれぞれ突出している１対の螺棒７１を、ネットフレーム１０の両側の縦フレーム１１、１１に設けたそれぞれ３個の貫通孔１１０のうち、いずれかの貫通孔１１０に貫入して、それぞれの螺棒７１に蝶ナット７２を螺着すれば、図６に示すように、ネットフレーム１０と床面９００とが形成する傾斜角度は約２０°乃至約４０°に調整でき、図７に示すように、軟球９０をネット３０に投球すれば、軟球９０は、短距離に、比較的高く放物線状に返球されることになる。
【産業上の利用可能性】
【０００８】
本発明の室内ボール投げ健康器は、安価に量産でき、小型軽量で格納移動が容易で、万人向きの健康運動具である。
【図面の簡単な説明】
【０００９】
【図１】本発明の実施例を示す斜視図である。
【図２】図１に使用したネットフレームの説明図である。
【図３】図１に使用した足フレームの説明図である。
【図４】図３の足フレームの一部拡大説明図である。
【図５】図１に使用したネット張り具の説明図である。
【図６−１】床面に対しネットフレームを約２０°に傾斜させたときの説明図である。
【図６−２】床面に対しネットフレームを約３０°に傾斜させたときの説明図である。
【図６−３】床面に対しネットフレームを約４０°に傾斜させたときの説明図である。
【図７】図１の使用状態説明図である。
【符号の説明】
【００１０】
１０            ネットフレーム
１１、１２      直パイプ
１１０          ネットフレームの貫通孔
１１１、１２１  直パイプ胴部
１３            Ｌ形継手
１３１          Ｌ形継手胴部
２０            足フレーム
２１            直パイプ
２１１          直パイプ胴部
３０            ネット
３００          ネット糸
３１            Ｓ字形引張具
３１１、３１２  引っかけ
５０            キャップ
５１            キャップ胴部
５３            キャップ底
６１、６２      螺入ねじ
７１            螺棒
７２            蝶ナット
７３            ボルトヘッド
９０            軟球
９００          床面
【図１】
2006223846.tif 000003
【図２】
2006223846.tif 000004
【図３】
2006223846.tif 000005
【図４】
2006223846.tif 000006
【図５】
2006223846.tif 000007
【図６−１】
2006223846.tif 000008
【図６−２】
2006223846.tif 000009
【図６−３】
2006223846.tif 000010
【図７】
2006223846.tif 000011